【手続補正書】
【提出日】平成20年2月18日(2008.2.18)
【手続補正１】
【補正対象書類名】特許請求の範囲
【補正対象項目名】全文
【補正方法】変更
【補正の内容】
【特許請求の範囲】
【請求項１】
第１の端末と第２の端末間でアドホック通信を行い、前記第１の端末が前記第２の端末を操作するユーザの識別情報を取得するステップと、
前記アドホック通信で取得した前記識別情報を宛先として、インフラストラクチャ通信により前記第１の端末から前記第２の端末へデータを送信することを特徴とする電子通信方法。
【請求項２】
複数の端末間でデータの送受信を行う電子通信方法であって、
前記端末を操作するユーザを前記端末内で識別する情報と前記端末を識別する情報とで構成されるユーザ識別情報を生成するステップと、
前記端末から前記データの送受信を仲介するサーバへ前記ユーザ識別情報を送信するステップと、
前記サーバにおいて、受信した前記ユーザ識別情報を記憶するステップと、
前記サーバが前記ユーザ識別情報に基づき前記端末へデータの配信を行うステップと、
を含むことを特徴とする電子通信方法。
【請求項３】
前記データの宛先ユーザの前記ユーザ識別情報を、前記宛先ユーザが操作する端末から前記データの送信元の端末へ直接的な通信により送信するステップと、
前記宛先ユーザのユーザ識別情報を付加した前記データを、前記送信元の端末から前記サーバへ送信するステップと、
前記サーバにおいて、前記送信元の端末から受信したデータを前記宛先ユーザのユーザ識別情報に対応づけて記憶するステップと、
前記サーバにおいて、前記サーバに新たに接続した端末を操作する接続元ユーザの前記ユーザ識別情報を特定するステップと、
前記サーバにおいて、前記接続元ユーザのユーザ識別情報に基づき、前記宛先ユーザのユーザ識別情報に対応づけて記憶されたデータを検索し、前記接続元ユーザのユーザ識別情報に合致するユーザ識別情報に対応して記憶されたデータを特定するステップと、
前記新たに接続した端末に特定したデータを送信するステップと、
をさらに含むことを特徴とする請求項２に記載の電子通信方法。
【請求項４】
データを送受信する端末と、前記端末間のデータ送受信をネットワークを介して仲介するサーバと、を備え、
前記端末は、
前記端末を操作するユーザを端末内で識別する情報と前記端末を識別する情報とで構成されるユーザ識別情報を生成するユーザ情報管理部と、
前記サーバと接続し、前記ユーザ情報管理部が生成した前記ユーザ識別情報を前記サーバへ送信する発信部と、を備え、
前記サーバは、
前記端末が送信した前記ユーザ識別情報を受信する受付部と、
前記受付部が受信した前記ユーザ識別情報を記憶するデータ記憶部と、
前記データ記憶部が記憶した前記ユーザ識別情報に基づき前記端末へデータの配信を行うデータ配信部と、
を備えたことを特徴とする電子通信システム。
【請求項５】
前記端末は、前記データの宛先ユーザの前記ユーザ識別情報を、前記宛先ユーザが操作する端末との直接的な通信により取得する相手情報取得部を備え、
前記端末における前記発信部はさらに、前記宛先ユーザのユーザ識別情報を付加した前記データを前記サーバへ送信し、
前記サーバにおける前記受付部はさらに、前記発信部が送信した前記データを受信し、
前記サーバにおける前記データ記憶部はさらに、前記受付部が受信したデータを前記宛先ユーザのユーザ識別情報に対応づけて記憶し、
前記サーバにおける前記データ配信部は、
前記サーバに新たに接続した端末を操作する接続元ユーザの前記ユーザ識別情報を特定する接続ユーザ情報取得部と、
前記接続ユーザ情報取得部において特定された前記接続元ユーザのユーザ識別情報に基づき前記データ記憶部を検索し、前記接続元ユーザのユーザ識別情報に合致するユーザ識別情報に対応して記憶されたデータを特定するデータ検索部と、
前記新たに接続した端末に、前記データ検索部が特定したデータを送信するデータ送信部と
を備えたことを特徴とする請求項４に記載の電子通信システム。
【請求項６】
端末間で直接的に、およびサーバを介して、データの送受信を行う通信端末であって、
前記通信端末を操作するユーザを前記通信端末内で識別する情報と前記通信端末を識別する情報とで構成されるユーザ識別情報を生成するユーザ情報管理部と、
前記データの宛先ユーザの前記ユーザ識別情報を、前記宛先ユーザが操作する通信端末との直接的な通信により取得する相手情報取得部と、
前記サーバへ接続し、前記相手情報取得部が取得した、前記宛先ユーザのユーザ識別情報を付加したデータを前記サーバへ送信する発信部と、
前記サーバへ接続し、自己の通信端末を操作するユーザの前記ユーザ識別情報を前記宛先ユーザのユーザ識別情報としたデータを、前記サーバから受信する着信部と、
を備えたことを特徴とする通信端末。
【請求項７】
前記通信端末は、
オブジェクトを含む画像を表示する画像表示部をさらに備え、
前記相手情報取得部は、前記宛先ユーザのユーザ識別情報を象徴するオブジェクトが、前記宛先ユーザが操作する通信端末から到来する動作を、前記画像表示部に表示させながら前記宛先ユーザのユーザ識別情報を取得することを特徴とする請求項６に記載の通信端末。
【請求項８】
着信データの表示を許可する送信元ユーザのユーザ識別情報を記載した相手情報テーブルを記憶する相手情報記憶部をさらに備え、
前記発信部は、自己の通信端末を操作する送信元ユーザのユーザ識別情報をさらに付加して前記データを前記サーバへ送信し、
前記着信部は、前記サーバから受信したデータに付加された前記送信元ユーザのユーザ識別情報に基づき前記相手情報テーブルを検索し、前記送信元ユーザのユーザ識別情報が前記相手情報テーブルに記載されていた場合に前記データの着信表示を行うことを特徴とする請求項６または７に記載の通信端末。
【請求項９】
前記通信端末は、
前記宛先ユーザが操作する通信端末と直接的な通信が確立された際、前記画像表示部に表示中のオブジェクトのうちいずれかのオブジェクトを伝播オブジェクトとして選択し、前記伝播オブジェクトの画像データに関する情報を、ユーザからの指示入力と独立して前記宛先ユーザが操作する通信端末に送信するアイテム譲渡部と、
前記伝播オブジェクトの画像データに関する情報が前記宛先ユーザが操作する通信端末の前記アイテム譲渡部から送信された場合に、前記画像データに関する情報に基づき前記伝播オブジェクトの前記画像表示部への表示を開始し、前記伝播オブジェクトの画像データに関する情報を自己の通信端末の前記アイテム譲渡部から前記宛先ユーザが操作する通信端末へ送信した場合に、前記伝播オブジェクトの前記画像表示部への表示を停止する画像処理部と、
を備えることにより、前記伝播オブジェクトが通信を確立した通信端末間を自動的に伝播したようにユーザに視認させることを特徴とする請求項７に記載の通信端末。
【請求項１０】
前記発信部はさらに、前記宛先ユーザのユーザ識別情報に代わり宛先を不特定とする識別情報を設定した宛先不特定データを前記サーバへ送信し、
前記着信部はさらに、前記サーバに以前送信され記憶された前記宛先不特定データのうちいずれかを、前記サーバから受信することを特徴とする請求項６から９のいずれかに記載の通信端末。
【請求項１１】
ネットワークを介して端末間のデータの送受信を仲介するサーバであって、
前記端末において生成された、前記端末を操作するユーザを端末内で識別する情報と前記端末を識別する情報とで構成されるユーザ識別情報を受信する受付部と、
前記受付部が受信した前記ユーザ識別情報を記憶するデータ記憶部と、
前記データ記憶部が記憶した前記ユーザ識別情報に基づき前記端末へデータの配信を行うデータ配信部と、
を備えたことを特徴とするサーバ。
【請求項１２】
前記受付部はさらに、前記データの送信元の端末から、前記データの宛先ユーザの前記ユーザ識別情報を付加したデータを受信し、
前記データ記憶部はさらに、前記受付部が受信したデータを前記宛先ユーザのユーザ識別情報に対応づけて記憶し、
前記データ配信部は、
前記サーバに新たに接続した端末を操作する接続元ユーザの前記ユーザ識別情報を特定する接続ユーザ情報取得部と、
前記接続ユーザ情報取得部において特定された前記接続元ユーザのユーザ識別情報に基づき前記データ記憶部を検索し、前記接続元ユーザのユーザ識別情報に合致するユーザ識別情報に対応して記憶されたデータを特定するデータ検索部と、
前記新たに接続した端末に、前記データ検索部が特定したデータを送信するデータ送信部と
を備えたことを特徴とする請求項１１に記載のサーバ。
【請求項１３】
前記受付部はさらに、前記データの送信元の端末から、前記宛先ユーザのユーザ識別情報に代わり宛先を不特定とする識別情報を設定した、宛先不特定データを受信し、
前記データ記憶部はさらに、前記受付部が受信した前記宛先不特定データを所定の記憶領域に記憶し、
前記データ送信部は、前記受付部が前記宛先不特定データを新たに受信した際、前記データ記憶部において前記所定の記憶領域に以前に記憶された前記宛先不特定データのうちのいずれかのデータを、前記新たに受信した宛先不特定データの送信元ユーザの操作する端末に送信することを特徴とする請求項１１または１２に記載のサーバ。
【請求項１４】
端末間で直接的に、およびサーバを介して、データの送受信を行う通信端末に搭載されたコンピュータに、
前記通信端末を操作するユーザを前記通信端末内で識別する情報と前記通信端末を識別する情報とで構成されるユーザ識別情報を生成する機能と、
前記データの宛先ユーザの前記ユーザ識別情報を、前記宛先ユーザが操作する通信端末との直接的な通信により取得する機能と、
前記サーバへ接続し、前記宛先ユーザのユーザ識別情報を付加したデータを前記サーバへ送信する機能と、
前記サーバへ接続し、自己の通信端末を操作するユーザの前記ユーザ識別情報を前記宛先ユーザのユーザ識別情報としたデータを、前記サーバから受信する機能と、
を実現させることを特徴とするコンピュータプログラム。
【請求項１５】
前記コンピュータに、
着信データの表示を許可する送信元ユーザのユーザ識別情報を記載した相手情報テーブルを記憶する機能と、
前記データを前記サーバへ送信する際、自己の通信端末を操作する送信元ユーザのユーザ識別情報をさらに付加する機能と、
前記サーバから受信したデータに付加された前記送信元ユーザのユーザ識別情報に基づき前記相手情報テーブルを検索し、前記送信元ユーザのユーザ識別情報が前記相手情報テーブルに記載されていた場合に前記データの着信表示を行う機能と、
をさらに実現させることを特徴とする請求項１４に記載のコンピュータプログラム。
【請求項１６】
前記コンピュータに、
オブジェクトを含む画像を表示する機能と、
前記宛先ユーザが操作する通信端末と直接的な通信が確立された際、表示中のオブジェクトのうちいずれかのオブジェクトを伝播オブジェクトとして選択し、前記伝播オブジェクトの画像データに関する情報を、ユーザからの指示入力と独立して前記宛先ユーザが操作する通信端末に送信する機能と、
前記伝播オブジェクトの画像データに関する情報が前記宛先ユーザが操作する通信端末から送信された場合に、前記画像データに関する情報に基づき前記伝播オブジェクトの表示を開始する機能と、
前記伝播オブジェクトの画像データに関する情報を自己の通信端末から前記宛先ユーザが操作する通信端末へ送信した場合に、前記伝播オブジェクトの表示を停止する機能と、
をさらに実現させることにより、前記伝播オブジェクトが通信を確立した通信端末間を自動的に伝播したようにユーザに視認させることを特徴とする請求項１４または１５に記載のコンピュータプログラム。
【請求項１７】
ネットワークを介して端末間のデータの送受信を仲介するサーバに搭載されたコンピュータに、
前記端末において生成された、前記データの送信元の端末から、前記データの宛先ユーザを前記宛先ユーザが操作する端末内で識別する情報と前記宛先ユーザが操作する端末を識別する情報とで構成される、前記宛先ユーザのユーザ識別情報を付加した前記データを受信する機能と、
受信したデータを前記宛先ユーザのユーザ識別情報に対応づけて記憶する機能と、
前記サーバに新たに接続した端末を操作する接続元ユーザの前記ユーザ識別情報を特定する機能と、
特定された前記接続元ユーザのユーザ識別情報に基づき前記ユーザ識別情報に対応づけて記憶されたデータを検索し、前記接続元ユーザのユーザ識別情報に合致するユーザ識別情報に対応して記憶されたデータを特定する機能と、
前記新たに接続した端末に、特定したデータを送信する機能と、
を実現させることを特徴とするコンピュータプログラム。
【請求項１８】
前記コンピュータに、
前記データの送信元の端末から、前記宛先ユーザのユーザ識別情報に代わり宛先を不特定とする識別情報を設定した宛先不特定データを受信する機能と、
受信した前記宛先不特定データを所定の記憶領域に記憶する機能と、
前記宛先不特定データを新たに受信した際、、前記所定の記憶領域に以前に記憶された前記宛先不特定データのうちのいずれかのデータを、前記新たに受信した宛先不特定データの送信元ユーザの操作する端末に送信する機能と、
をさらに実現させることを特徴とする請求項１７に記載のコンピュータプログラム。
【請求項１９】
請求項１４から請求項１８のいずれかに記載のコンピュータプログラムを格納した、コンピュータにて読み取り可能な記録媒体。